(57)【特許請求の範囲】
【請求項１】
少なくとも一方の厚さ面から突出する円柱状の回転軸を有する扉体、及び一方の前記厚さ面と所定の間隙を設けて対向する内壁面を有する枠体を備え、前記回転軸を中心に前記扉体が前記枠体と回転自在に連結した回転式の防火扉であって、
前記枠体は、
当該枠体の内壁面から突出し、前記回転軸を受容して回転自在に連結する軸受穴を開口した円筒状の軸受部と、
前記扉体の一方の面に当接して前記扉体の一方の片翼と前記枠体との間隙を閉塞でき、前記軸受部の外周の第１接線方向から当該軸受部に連続した第１戸当り部と、
前記扉体の他方の面に当接して前記扉体の他方の片翼と前記枠体との間隙を閉塞でき、前記軸受部の外周の第２接線方向から当該軸受部に連続した第２戸当り部と、を備え、
前記扉体は、前記回転軸の外周に連続する円弧壁を形成し、当該扉体の厚さ面から窪んだ一対の溝部を有し、
前記溝部は、
前記軸受部の先端面が当接する第１底面を有し、前記円弧壁に対向する部分円弧壁を有する円弧溝と、
前記円弧溝の第１底面から段差を設けて窪んだ第２底面を有し、前記円弧壁に対向すると共に、前記部分円弧壁に連続する平坦壁を有する異形溝と、を有し、
前記異形溝の平坦壁は、前記第１戸当り部の外壁、又は前記第２戸当り部の外壁に当接して前記枠体に対する前記扉体の回動角度を規定し、
一対の前記円弧溝は、前記扉体の一方の面から他方の面に貫通する隙間ができないように、前記軸受部で閉塞されると共に、前記扉体の一方の面から他方の面に向けて迂回している、回転式の防火扉。
【請求項２】
前記回転軸は、その回転中心が鉛直方向に延びる鉛直軸からなり、
前記扉体は、建物の開口部を開閉自在な２ウィング型の防火扉本体からなる請求項１記載の回転式の防火扉。
【請求項３】
前記回転軸は、その回転中心が水平方向に延びる一対の水平軸からなり、
前記扉体は、防火扉である親扉に設けた開口部を開閉自在に一対の前記水平軸で連結した子扉からなる請求項１記載の回転式の防火扉。
【請求項４】
前記回転軸は、その回転中心が水平方向に延びる一対の水平軸からなり、
前記扉体は、床面に設けた開口部を開閉自在に一対の前記水平軸で連結した蓋体からなる請求項１記載の回転式の防火扉。
【請求項５】
前記親扉に設けた開口部は、人の通過が自在な程度に開口されている請求項３記載の回転式の防火扉。
【発明の詳細な説明】
【技術分野】
【０００１】
本発明は、回転式の防火扉に関する。特に、建物などの開口部に配置され、２ウィング型の扉本体が回転軸を中心に回転自在な回転式の防火扉であって、扉本体が開口部を閉鎖時に、加熱側から非加熱側に向けて貫通する隙間を無くした、回転式の防火扉の構造に関する。
【背景技術】
【０００２】
日本の建築基準法に定めた「防火区画」は、耐火構造の床、耐火壁、防火扉などの防火設備の設置といった規定を設けて、火災を局所的に留める役割を有している。防火扉は、通常時には、人の通行が可能である。一方、火災発生時には、防火扉で開口部を閉鎖することで、火炎を遮ることができる。そして、出火元からの火災の拡大を防止でき、又は、出火元以外からの延焼を防止できる。【０００３】
「防火区画」に設置される防火扉は、開き戸が多く使用されている。開き戸は、扉本体の一端部をヒンジで回転自在に連結し、扉本体の他端部を開閉自在に構成している。一般に、片開き戸には、ドアクローザーを設けて、扉本体を自動的に閉鎖している。【０００４】
例えば、火災発生時に、ドアクローザー付きの片開き戸を避難者が開いて、避難場所に移動しようとしたときに、扉本体に向けて強い風が作用すると、ドアクローザーの閉鎖力が加算された風圧に抗して、扉本体を開けることが困難になることがある。特に、子供又高齢者などの力の弱い人では、扉本体を開けることが困難になることがある。【０００５】
一方、ドアクローザー付きの片開き戸が閉まるときに、ドアクローザーの閉鎖力に拮抗する強い風が扉本体に作用すると、ドアクローザーの閉鎖力だけでは、扉本体を完全に閉じることができず、火炎を遮ることが困難になる。【０００６】
上述したような不具合に対して、鉛直方向に延びる回転軸を防火扉本体の幅方向の中央部に配置して、回転軸を中心に防火扉本体を回転自在に構成した回転式の防火扉が開示されている（例えば、特許文献１参照）。【０００７】
特許文献１による回転式の防火扉は、扉本体の面方向に強い風が作用すると、扉本体の左半部を一方の方向に回転する力と、扉本体の右半部を他方の方向に回転する力が相殺されるので、扉本体を無風時と同様に容易に回転できる、としている。そして、子供又高齢者などの力の弱い人でも扉本体を容易に開けることができる、としている。又、適宜な閉鎖機構を用いれば、扉本体を確実に閉じることができる、としている。【０００８】
又、片開き式の防火扉を玄関に設置した例としては、親扉に対して子扉を開閉自在に連結し、子扉を室内外から親扉に３点施錠できると共に、子扉から緊急脱出したときは、子扉を自動復帰できるように構成した、子扉付き鋼製ドアが開示されている（例えば、特許文献２参照）。
【先行技術文献】
【特許文献】
【０００９】
【特許文献１】特開平４―７３１９４号公報
【特許文献２】特開２０１３―１０８３４４号公報
【発明の概要】
【発明が解決しようとする課題】
【００１０】
特許文献１に開示されたような、鉛直方向に延びる回転軸を有する回転式の防火扉を建物の通路などに設置すれば、回転軸の下端部を支持する軸受を除き、扉本体の案内部材又はスライド部材を床面から突出する必要がないので、いわゆる、バリアフリーになるので、通路の往来が容易になる。【００１１】
一般に、片開き式の防火扉は、床面を除いて扉本体の三方を枠体で囲っている。そして、片開き式の防火扉は、これらの枠体に戸当りを設けて、扉本体の周縁に当接させることで、加熱側から非加熱側に向けて貫通する隙間を無くしている。【００１２】
特許文献１に開示された回転式の防火扉は、扉本体の両側面に対向する一対の枠体に戸当りを設けて、加熱側から非加熱側に向けて貫通する隙間を無くすことができる。【００１３】
しかし、特許文献１に開示された回転式の防火扉は、回転軸を中心に扉本体が回転するので、扉本体の上面に対向する枠体に設ける戸当りが左右に分断され、加熱側から非加熱側に向けて貫通する隙間を無くすことが困難であった。鉛直方向に延びる回転軸を有する回転式の防火扉において、加熱側から非加熱側に向けて貫通する隙間を無くす構造が求められている。【００１４】
又、特許文献２による防火扉は、親扉が開く方向と反対方向に子扉を開くことができるが、施錠を解除しないと子扉を開くことができず、人員の退避が優先される非常時には、子扉の施錠を解除することを期待することが困難である。【００１５】
水平方向に延びる回転軸を有する回転式の子扉を防火扉である親扉に設置することで、人員の退避が優先される非常時に、子扉の施錠を解除することなく、子扉から緊急脱出できる。【００１６】
しかし、水平方向に延びる回転軸を中心に子扉が回転するので、子扉の両側面に対向する枠体に設ける戸当りが上下に分断され、加熱側から非加熱側に向けて貫通する隙間を無くすことが困難であった。水平方向に延びる回転軸を有する回転式の子扉を有する防火扉において、加熱側から非加熱側に向けて貫通する隙間を無くす構造が求められている。そして、以上のことが本発明の課題といってよい。【００１７】
本発明は、このような課題に鑑みてなされたものであり、加熱側から非加熱側に向けて貫通する隙間を無くした回転式の防火扉を提供することを目的とする。
【課題を解決するための手段】
【００１８】
本発明者は、一方の厚さ面から突出する回転軸を有する扉体、及び一方の厚さ面と所定の間隙を設けて対向する内壁面を有する枠体を備え、回転軸を中心に扉体が枠体と回転自在に連結した回転式の防火扉であって、回転軸を受容して回転自在に連結する軸受穴を開口した円筒状の軸受部を枠体の内壁面から突出し、扉体の一方の面に当接する第１戸当り部を軸受部の第１接線方向から軸受部に連続させると共に、扉体の他方の面に当接する第２戸当り部を軸受部の第２接線方向から軸受部に連続させることで、加熱側から非加熱側に向けて貫通する隙間を無くすことできると考え、これに基づいて、以下のような新たな回転式の防火扉を発明するに至った。【００１９】
（１）本発明による回転式の防火扉は、少なくとも一方の厚さ面から突出する円柱状の回転軸を有する扉体、及び一方の前記厚さ面と所定の間隙を設けて対向する内壁面を有する枠体を備え、前記回転軸を中心に前記扉体が前記枠体と回転自在に連結した回転式の防火扉であって、前記枠体は、当該枠体の内壁面から突出し、前記回転軸を受容して回転自在に連結する軸受穴を開口した円筒状の軸受部と、前記扉体の一方の面に当接して前記扉体の一方の片翼と前記枠体との間隙を閉塞でき、前記軸受部の外周の第１接線方向から当該軸受部に連続した第１戸当り部と、前記扉体の他方の面に当接して前記扉体の他方の片翼と前記枠体との間隙を閉塞でき、前記軸受部の外周の第２接線方向から当該軸受部に連続した第２戸当り部と、を備え、前記扉体は、前記回転軸の外周に連続する円弧壁を形成し、当該扉体の厚さ面から窪んだ一対の溝部を有し、前記溝部は、前記軸受部の先端面が当接する第１底面を有し、前記円弧壁に対向する部分円弧壁を有する円弧溝と、前記円弧溝の第１底面から段差を設けて窪んだ第２底面を有し、前記円弧壁に対向すると共に、前記部分円弧壁に連続する平坦壁を有する異形溝と、を有し、前記異形溝の平坦壁は、前記第１戸当り部の外壁、又は前記第２戸当り部の外壁に当接して前記枠体に対する前記扉体の回動角度を規定し、一対の前記円弧溝は、前記扉体の一方の面から他方の面に貫通する隙間ができないように、前記軸受部で閉塞されると共に、前記扉体の一方の面から他方の面に向けて迂回している。【００２０】
（２）前記回転軸は、その回転中心が鉛直方向に延びる鉛直軸からなり、前記扉体は、建物の開口部を開閉自在な２ウィング型の防火扉本体からなってもよい。【００２１】
（３）前記回転軸は、その回転中心が水平方向に延びる一対の水平軸からなり、前記扉体は、防火扉である親扉に設けた開口部を開閉自在に一対の前記水平軸で連結した子扉からなってもよい。【００２２】
（４）前記回転軸は、その回転中心が水平方向に延びる一対の水平軸からなり、前記扉体は、床面に設けた開口部を開閉自在に一対の前記水平軸で連結した蓋体からなってもよい。【００２３】
（５）前記親扉に設けた開口部は、人の通過が自在な程度に開口されていることが好ましい。
【発明の効果】
【００２４】
本発明による回転式の防火扉は、扉体の厚さ面から突出する回転軸を回転自在に連結する軸受穴を開口した円筒状の軸受部を枠体に設け、扉体の一方の面又は他方の面に当接できる第１戸当り部及び第２戸当り部を軸受部に連続させているので、扉体の一方の面から他方の面に向けて貫通する隙間を無くすことできる。
【図面の簡単な説明】
【００２５】
【図１】本発明の第１実施形態による回転式の防火扉の構成を示す正面図である。
【図２】第１実施形態による回転式の防火扉の構成を示す横断面図である。
【図３】第１実施形態による回転式の防火扉に備わる回転軸の構成を示す図であり、図３（Ａ）は、回転軸の正面図、図３（Ｂ）は、図３（Ａ）のＡ−Ａ矢視断面図、図３（Ｃ）は、図３（Ａ）のＢ−Ｂ矢視断面図、図３（Ｄ）は、図３（Ａ）のＣ−Ｃ矢視断面図である。
【図４】第１実施形態による回転式の防火扉に備わる回転軸の構成を示す斜視図であり、扉体側に設けた軸部と枠体側に設けた軸受部を対向配置した状態図である。
【図５】第１実施形態による回転式の防火扉に備わる回転軸の構成を示す斜視図であり、扉体側に設けた軸部と枠体側に設けた軸受部を対向配置した状態図である。
【図６】第１実施形態による回転式の防火扉に備わる回転軸の構成を示す図であり、図６（Ａ）は、枠体に対して扉体が直交するように相対的に回転した状態で示す回転軸の正面図、図６（Ｂ）は、図６（Ａ）のＡ−Ａ矢視断面図、図６（Ｃ）は、図６（Ａ）のＢ−Ｂ矢視断面図、図６（Ｄ）は、図６（Ａ）のＣ−Ｃ矢視断面図である。
【図７】第１実施形態による回転式の防火扉を互いに直交するように交差した一組の通路の交差部に配置した状態を示す平面図である。
【図８】本発明の第２実施形態による回転式の防火扉の構成を示す正面図である。
【図９】第２実施形態による回転式の防火扉の構成を示す横断面図である。
【図１０】第２実施形態による回転式の防火扉の構成を示す縦断面図であり、親扉に設けた開口部を子扉が閉止した状態図である。
【図１１】第２実施形態による回転式の防火扉の構成を示す縦断面図であり、親扉に対して子扉が一方の方向に回転した状態図である。
【図１２】第２実施形態による回転式の防火扉に備わる回転軸の構成を示す図であり、図１２（Ａ）は、回転軸の正面図、図１２（Ｂ）は、図１２（Ａ）のＡ−Ａ矢視断面図、図１２（Ｃ）は、図１２（Ａ）のＢ−Ｂ矢視断面図、図１２（Ｄ）は、図１２（Ａ）のＣ−Ｃ矢視断面図である。
【図１３】第２実施形態による回転式の防火扉に備わる回転軸の構成を示す斜視図であり、子扉側に設けた軸部と親扉側に設けた軸受部を対向配置した状態図である。
【図１４】第２実施形態による回転式の防火扉に備わる回転軸の構成を示す斜視図であり、子扉側に設けた軸部と親扉側に設けた軸受部を対向配置した状態図である。
【図１５】第２実施形態による回転式の防火扉に備わる回転軸の構成を示す図であり、図１５（Ａ）は、親扉に対して子扉を直角に傾倒した状態で示す回転軸の正面図、図１５（Ｂ）は、図１５（Ａ）のＡ−Ａ矢視断面図、図１５（Ｃ）は、図１５（Ａ）のＢ−Ｂ矢視断面図、図１５（Ｄ）は、図１５（Ａ）のＣ−Ｃ矢視断面図である。
【発明を実施するための形態】
【００２６】
以下、図面を参照して本発明を実施するための形態を説明する。
［第１実施形態］
（回転式の防火扉の構成）
最初に、本発明の第１実施形態による回転式の防火扉の構成を説明する。図１は、本発明の第１実施形態による回転式の防火扉の構成を示す正面図である。図２は、第１実施形態による回転式の防火扉の構成を示す横断面図である。
【００２７】
図３は、第１実施形態による回転式の防火扉に備わる回転軸の構成を示す図であり、図３（Ａ）は、回転軸の正面図、図３（Ｂ）は、図３（Ａ）のＡ−Ａ矢視断面図、図３（Ｃ）は、図３（Ａ）のＢ−Ｂ矢視断面図、図３（Ｄ）は、図３（Ａ）のＣ−Ｃ矢視断面図である。
【００２８】
図４は、第１実施形態による回転式の防火扉に備わる回転軸の構成を示す斜視図であり、扉体側に設けた軸部と枠体側に設けた軸受部を対向配置した状態図である。図５は、第１実施形態による回転式の防火扉に備わる回転軸の構成を示す斜視図であり、扉体側に設けた軸部と枠体側に設けた軸受部を対向配置した状態図である。
【００２９】
図６は、第１実施形態による回転式の防火扉に備わる回転軸の構成を示す図であり、図６（Ａ）は、枠体に対して扉体が直交するように相対的に回転した状態で示す回転軸の正面図、図６（Ｂ）は、図６（Ａ）のＡ−Ａ矢視断面図、図６（Ｃ）は、図６（Ａ）のＢ−Ｂ矢視断面図、図６（Ｄ）は、図６（Ａ）のＣ−Ｃ矢視断面図である。
【００３０】
（全体構成）
図１又は図２を参照すると、本発明の第１実施形態による回転式の防火扉（以下、防火扉と略称する）１０は、扉体となる２ウィング型の防火扉本体１と枠体２を備えている。防火扉本体１は、建物に設けた開口部１ｈを開閉できる。枠体２は、防火扉本体１の底面を除く三方を囲っている。枠体２は、水平方向に延びる枠体２１ｆと鉛直方向に延びる一対の枠体２２ｆ・２２ｆで構成している。一対の枠体２２ｆ・２２ｆは、防火壁Ｗに固定されている（図２参照）。
【００３１】
又、図１又は図２を参照すると、防火扉１０は、一組の回転軸３・４を備えている。一組の回転軸３・４は、その仮想の回転中心Ｑが鉛直方向に延びる鉛直軸からなっている。上部の回転軸３は、枠体２１ｆと回転自在に連結している。下部の回転軸４は、床面ＦＬに埋設された軸受部材４１と回転自在に連結している。
【００３２】
図２を参照すると、防火扉本体１は、通路Ｇを閉塞している。図２に示した状態において、一方の通路Ｇ側で火災が発生すると、他方の通路Ｇ側に火炎が侵入することを防止できる。回転中心Ｑを中心に、防火扉本体１を反時計方向に回転することで、通路Ｇを往来できる。
【００３３】
（扉体の構成）
次に、扉体となる防火扉本体の構成を説明する。図１又は図２を参照すると、防火扉本体１は、鋼板を折り曲げ加工及び溶接加工して、所定の厚さを有するように、内部に空洞を有する袋状に形成している。防火扉本体１の内部には、断熱材を収容しておくことが好ましい。
【００３４】
図１又は図２を参照すると、防火扉本体１は、一対の四角柱状の縦枠部材１１・１１を備えている。一対の縦枠部材１１・１１は、防火扉本体１の両側面に固定している。又、防火扉本体１は、四角柱状の中間横枠部材３０と一対の四角柱状の横枠部材１３ｆ・１３ｆを備えている（図３参照）。中間横枠部材３０及び一対の横枠部材１３ｆ・１３ｆは、防火扉本体１の上面に固定している。
【００３５】
図２を参照して、防火扉本体１の右半部１Ｒｈ側に固定した縦枠部材１１が第１戸当り部２１ｓの縦枠２１ｖに当接することで、開口部１ｈの内壁と防火扉本体１の右半部１Ｒｈとの隙間ｄを閉塞できる。防火扉本体１の左半部１Ｌｈ側に固定した縦枠部材１１が第２戸当り部２２ｓの縦枠２２ｖに当接することで、開口部１ｈの内壁と防火扉本体１の左半部１Ｌｈとの隙間ｄを閉塞できる。
【００３６】
図３を参照すると、中間横枠部材３０は、その両端部に凸部を形成している。一方、横枠部材１３ｆは、その端部に凹部を形成している。中間横枠部材３０の凸部と横枠部材１３ｆの凹部が嵌合するように、防火扉本体１の上面に配置することで、防火扉本体１の一方の面から他方の面に向けて貫通する隙間ができないように構成している。
【００３７】
図１を参照すると、防火扉本体１は、ドアノブ１４を右半部１Ｒｈに配置している。ドアノブ１４を回転させることで、防火扉本体１と枠体２２ｆを連結しているラッチボルト（図示せず）が解除され、防火扉本体１を開くことができる。防火扉本体１を閉じると、ラッチボルト（図示せず）が自動復帰して、風圧などで防火扉本体１が容易に開かないようにすることができる。なお、防火扉本体１の左半部１Ｌｈにもドアノブ１５を配置している。
【００３８】
図１を参照して、右半部１Ｒｈのドアノブ１４を把持して、ドアノブ１４を押すと、防火扉本体１を開くことができる。同様に、左半部１Ｌｈのドアノブ１５を把持して、ドアノブ１４を引くと、防火扉本体１を開くことができる。図１の紙面と反対側にもドアノブ１４・１５を設けており、これらのドアノブ１４・１５のいずれか一方を把持して、防火扉本体１を回転できる。
【００３９】
（回転軸の構成）
次に、枠体の構成を補足しながら、回転軸の構成を説明する。図３から図６を参照すると、回転軸３は、円筒状の軸受部３１と円柱状のボス３２で構成している。軸受部３１は、枠体２に設けた枠体２１ｆの内壁から突出している。又、軸受部３１は、ボス３２を受容して回転自在に連結する円形の軸受穴３１ｈを開口している。
【００４０】
図６から図９を参照すると、ボス３２は、中間横枠部材３０の一方の面から突出している。中間横枠部材３０は、防火扉本体１の上面に配置された一対の横枠部材１３ｆ・１３ｆの間に配置している。又、中間横枠部材３０は、一対の雌ねじ部３０ｓ・３０ｓを設けている。ボルト部材３０ｂを用いて、子扉６の内部から雌ねじ部３０ｓに螺合することで、中間横枠部材３０を防火扉本体１の上面に固定できる（図３（Ｄ）参照）。
【００４１】
図３（Ｂ）又は図４及び図６（Ｂ）を参照すると、軸受部３１は、その円環状の肉厚部３１ｗが第１戸当り部２１ｓの横枠２１ｈに第１接線方向から連続している。第１戸当り部２１ｓの横枠２１ｈは、中間横枠部材３０及び横枠部材１３ｆの一方の面に当接して、防火扉本体１の右半部１Ｒｈと枠体２１ｆとの間隙を閉塞できる（図１参照）。
【００４２】
又、図３（Ｂ）又は図４及び図６（Ｂ）を参照すると、軸受部３１は、その円環状の肉厚部３１ｗが第２戸当り部２２ｓの横枠２２ｈに第２接線方向から連続している。第２戸当り部２２ｓの横枠２２ｈは、中間横枠部材３０及び横枠部材１３ｆの他方の面に当接して、防火扉本体１の左半部１Ｌｈと枠体２１ｆとの間隙を閉塞できる（図１参照）。
【００４３】
このように、軸受部３１は、防火扉本体１の一方の面から他方の面に向けて貫通する隙間ができないように、第１戸当り部２１ｓ及び第２戸当り部２２ｓで遮蔽されている。
【００４４】
図３（Ｃ）又は図５及び図６（Ｃ）を参照すると、中間横枠部材３０は、ボス３２の外周から窪んだ一対の溝部３０ｄ・３０ｄを形成している。溝部３０ｄに形成された円弧壁は、ボス３２の外周に連続している。そして、一対の溝部３０ｄ・３０ｄは、軸受部３１の外周を案内できる。
【００４５】
図３（Ｃ）又は図５及び図６（Ｃ）を参照すると、溝部３０ｄは、円弧溝３１ｄと異形溝３２ｄで構成している。円弧溝３１ｄは、軸受部３１の先端面が当接する第１底面を有している。又、円弧溝３１ｄは、溝部３０ｄの円弧壁に対向する部分円弧壁を有している。異形溝３２ｄは、円弧溝３１ｄの第１底面から段差を設けて窪んだ第２底面を有している。又、異形溝３２ｄは、溝部３０ｄの円弧壁に対向すると共に、円弧溝３１ｄの部分円弧壁に連続する平坦壁３２ｗを有している（図３（Ｃ）参照）。
【００４６】
図６（Ｂ）を参照すると、異形溝３２ｄに形成された平坦壁３２ｗが、横枠２１ｈ及び横枠２２ｈに当接することで、枠体２に対する防火扉本体１の回動角度を規定できる（図２参照）。
【００４７】
又、図３（Ｃ）又は図５及び図６（Ｃ）を参照すると、一対の円弧溝３１ｄ・３１ｄは、防火扉本体１の一方の面から他方の面に貫通する隙間ができないように、軸受部３１で閉塞されている。更に、一対の円弧溝３１ｄ・３１ｄは、防火扉本体１の一方の面から他方の面に貫通する隙間ができないように、中間横枠部材３０の一方の面から他方の面に向けて迂回している。
【００４８】
（回転式の防火扉の作用）
次に、第１実施形態による防火扉１０の作用及び効果を説明する。図１から図６を参照して、防火扉１０は、防火扉本体１の上面（厚さ面）から突出するボス３２を設けている。又、防火扉１０は、ボス３２と回転自在に連結する円筒状の軸受部３１を水平方向に配置された枠体２１ｆに設けている。そして、防火扉１０は、防火扉本体１の一方の面又は他方の面に当接できる第１戸当り部２１ｓ及び第２戸当り部２２ｓを軸受部３１に連続させているので、防火扉本体１の一方の面から他方の面に向けて貫通する隙間を無くすことできる。
【００４９】
図４を参照すると、第１戸当り部２１ｓの横枠２１ｈと第２戸当り部２２ｓの横枠２２ｈは、軸受部３１の先端面から段差をもって僅かに突出している。そして、横枠２１ｈと横枠２２ｈは、それらの延びる方向に断絶している。しかし、図３に示すように、軸受部３１にボス３２を挿入することで、横枠２１ｈと横枠２２ｈの隙間をボス３２で遮蔽できる。これにより、防火扉本体１の一方の面から他方の面に向けて貫通する隙間を無くすことできる。
【００５０】
一方、図４を参照して、横枠２１ｈと横枠２２ｈには、軸受部３１の先端面から段差をもって僅かに突出させているので、枠体２１ｆに対して防火扉本体１を９０度回転しようとすると、横枠２１ｈと横枠２２ｈの突出部に当接して、回転が困難になる。そこで、一対の異形溝３２ｄ・３２ｄを設けて（図３（Ｃ）参照）、横枠２１ｈと横枠２２ｈの突出部を逃げることにした。このように、第１実施形態による防火扉１０は、ボス３２と軸受部３１の形状を工夫することで、防火扉本体１の一方の面から他方の面に向けて貫通する隙間を無くすと共に、防火扉本体１を回転自在とした。
【００５１】
（回転式の防火扉の適用例）
次に、第１実施形態による防火扉１０の適用例を説明する。図７は、第１実施形態による回転式の防火扉を互いに直交するように交差した一組の通路の交差部に配置した状態を示す平面図である。
【００５２】
図７を参照すると、防火扉１０は、通路Ｇａから通路Ｇｃ又は通路Ｇｄに至る経路を封鎖する第１の状態と、通路Ｇａから通路Ｇｃ又は通路Ｇｂに至る経路を封鎖する第２の状に切り換えることができる。防火扉１０の第１の状態では、通路Ｇｂから通路Ｇｃ又は通路Ｇｄに至る経路を封鎖しているが、通路Ｇａと通路Ｇｂとを往来できる。一方、防火扉１０の第２の状態では、通路Ｇｄから通路Ｇｃ又は通路Ｇｂに至る経路を封鎖しているが、通路Ｇａと通路Ｇｄとを往来できる。
【００５３】
図７を参照して、例えば、防火扉１０の第１の状態を通常の通行経路に設定し、通路Ｇｂ側、又は通路Ｇｃ側で火災が発生したときに、防火扉本体１を反時計方向に９０度回転することで、通路Ｇａから通路Ｇｄに至る経路を避難経路とすることができる。又、通路Ｇｄから通路Ｇａに至る経路を避難経路とすることができる。このように、第１実施形態による防火扉１０は、通常の通行経路と避難経路を容易に切り換えることができる。
【００５４】
［第２実施形態］
（回転式の防火扉の構成）
次に、本発明の第２実施形態による回転式の防火扉の構成を説明する。図８は、本発明の第２実施形態による回転式の防火扉の構成を示す正面図である。図９は、第２実施形態による回転式の防火扉の構成を示す横断面図である。
【００５５】
図１０は、第２実施形態による回転式の防火扉の構成を示す縦断面図であり、親扉に設けた開口部を子扉が閉止した状態図である。図１１は、第２実施形態による回転式の防火扉の構成を示す縦断面図であり、親扉に対して子扉が一方の方向に回転した状態図である。
【００５６】
（全体構成）
図８から図１０を参照すると、本発明の第２実施形態による防火扉２０は、片開き式の親扉５と扉体となる２ウィング型の回転式の子扉６を備えている。親扉５は、室Ｒｍの内部から廊下Ｈａ側に向けて開くことが困難に設置されている（図９又は図１０参照）。以下、室Ｒｍの内部を「室内」と呼称し、廊下Ｈａ側を「室外」と呼称する。
【００５７】
図８から図１１を参照すると、子扉６は、親扉５の中央部に設けた開口部５ｈを閉塞している。又、子扉６は、その上半部６ｓｈを室外から室内に向けて開くと、下半部６ｉｈが室内から室外に向けて開くように、親扉５と回転自在に連結している。そして、子扉６の下半部６ｉｈから緊急脱出することもできる（図８参照）。
【００５８】
又、図８から図１１を参照すると、防火扉２０は、一対の回転軸７・７と錘８を備えている。一対の回転軸７・７は、それらの回転中心Ｑが水平方向に延びるように配置された水平軸となっている。又、回転軸７は、開口部５ｈの内壁と子扉６の側面を回転自在に連結している。
【００５９】
図８から図１１を参照すると、錘８は、子扉６の下端部に配置されている。錘８は、子扉６の下半部６ｉｈが室内から室外に向けて開いた状態から、子扉６の下半部６ｉｈが室外から室内に向けて回転する力を付勢している（図１１参照）。
【００６０】
図８又は図９を参照すると、親扉５は、矩形の開口部５ｈを中央部に形成している。開口部５ｈは、後述するように、子扉６で閉塞することができる。そして、開口部５ｈを人が通過できる程度の大きさに開口することで、災害時に、子扉６を開いて開口部５ｈの下部から緊急脱出することもできる。
【００６１】
（親扉の構成）
次に、親扉の構成を説明する。図８から図１１を参照すると、親扉５は、鋼板を折り曲げ加工及び溶接加工して、所定の厚さを有するように、内部に空洞を有する袋状に形成している。親扉５の内部には、断熱材を収容しておくことが好ましい。親扉５は、その外形を規格の寸法にすることが好ましく、１８１８ｍｍ×７６４ｍｍ（高さ×幅）とすることができ、１８１８ｍｍ×８１２ｍｍ（高さ×幅）とすることができる。
【００６２】
図８又は図９を参照すると、親扉５は、その底面を除く三方がドア枠５１ｆで囲われている。これらのドア枠５１ｆは、防火壁Ｗに固定されている。鉛直方向に延びる一方のドア枠５１ｆと親扉５の一方の側面を複数のヒンジ５１ｂで回転自在に連結することで、片開き式の親扉５とすることができる。
【００６３】
図９から図１１を参照すると、ドア枠５１ｆは、戸当りとなる段差５１１を設けている。親扉５が段差５１１に当接することで、室内を閉止できる。ドア枠５１ｆの内壁と親扉５の側面との隙間ｄに対して段差５１１を突出させることで、室内で発生した火炎が室外に侵入することを遮断できる。又、段差５１１には、緩衝部材５１ｄを取り付けている。緩衝部材５１ｄは、親扉５を閉めたときの衝撃を緩和すると共に、隙間ｄを気密封止している。又、床面ＦＬには、親扉５の底面がスライド自在なフラット下枠５２ｆを取り付けている（図１０又は図１１参照）。
【００６４】
図８を参照すると、親扉５は、複数のヒンジ５１ｂと反対側にドアノブ５２を配置している。ドアノブ５２を回転させることで、親扉５とドア枠５１ｆを連結しているラッチボルト（図示せず）が解除され、親扉５を開くことができる。親扉５を閉じると、ラッチボルト（図示せず）が自動復帰して、風圧などで親扉５が容易に開かないようにすることができる。ドアノブ５２は、施錠機能を有しているものを用いることが好ましい。
【００６５】
図７を参照すると、親扉５は、ドアクローザー５３を上部のヒンジ５１ｂ寄りに取り付けている。ドアクローザー５３は、人為的に開けられた親扉５を解放すると、自動的に閉める機能を有している。又、ドアクローザー５３は、その本体に充填された緩衝油とダンパ機構に作用により、親扉５が急激に閉じることがないように、又は、風圧などで親扉５が急激に開くことがないように、親扉５の回転速度を緩慢にする機能を有している。
【００６６】
このように構成された親扉５を室Ｒｍの開口部に配置し、火災発生時には、親扉５で開口部を閉鎖することで、火炎を遮ることができる。そして、室内からの火災の拡大を防止でき、又は、室外からの延焼を防止できる。
【００６７】
（子扉の構成）
次に、子扉の構成を説明する。図２から図５を参照すると、子扉６は、鋼板を折り曲げ加工及び溶接加工して、所定の厚さを有するように、内部に空洞を有する袋状に形成している。子扉６の内部には、断熱材を収容しておくことが好ましい。子扉６は、親扉５の中央部に形成された矩形の開口部１ｈを通常、塞ぐように配置されている。
【００６８】
図８から図１１を参照すると、親扉５は、第１戸当り部５１ｓと第２戸当り部５２ｓを備えている。第１戸当り部５１ｓは、上枠５１ｕと一対の縦枠５１ｖ・５１ｖで構成している。上枠５１ｕは、開口部５ｈの上側から突出している。一対の縦枠５１ｖ・５１ｖは、開口部５ｈの両側面から突出している。
【００６９】
図１１に示した状態から、仮想の回転中心Ｑを中心に、子扉６を時計方向（矢印Ｒ方向）に回転すると、子扉６の上面に固定した上枠部材６１ｆが上枠５１ｕに当接すると共に、子扉６の側面に固定した縦枠部材６３ｆが縦枠５１ｖに当接することで、子扉６の回転を停止できる（図１０参照）。図１０に示した状態では、第１戸当り部５１ｓは、開口部６ｈの内壁と子扉６の上半部６ｓｈとの隙間を閉塞している。
【００７０】
図８から図１１を参照すると、第２戸当り部５２ｓは、下枠５２ｄと一対の縦枠５２ｖ・５２ｖで構成している。下枠５２ｄは、開口部５ｈの下側から突出している。一対の縦枠５２ｖ・５２ｖは、開口部５ｈの両側面から突出している。
【００７１】
図１１に示した状態から、仮想の回転中心Ｑを中心に、子扉６を時計方向（矢印Ｒ方向）に回転すると、子扉６の下面に固定した下枠部材６２ｆが下枠５２ｄに当接すると共に、子扉６の側面に固定した縦枠部材２３ｆが縦枠５２ｖに当接することで、子扉６の回転を停止できる（図１０参照）。図１０に示した状態では、第２戸当り部５２ｓは、開口部５ｈの内壁と子扉６の下半部６ｉｈとの隙間を閉塞している。
【００７２】
図８を参照すると、子扉６は、ドアノブ６２ｎを上半部６ｓｈに配置している。上半部６ｓｈのドアノブ６２ｎを把持して、室内側からドアノブ６２ｎを引くと、上半部６ｓｈが室外から室内に向けて開くと共に、下半部６ｉｈが室内から室外に向けて開くように子扉６を回転できる（図１１参照）。
【００７３】
同様に、図８を参照すると、子扉６は、ドアノブ６２ｎを下半部６ｉｈに配置している。下半部６ｉｈのドアノブ６２ｎを把持して、室内側からドアノブ６２ｎを押すと、上半部６ｓｈが室外から室内に向けて開くと共に、下半部６ｉｈが室内から室外に向けて開くように子扉６を回転できる（図１１参照）。図８の紙面と反対側にもドアノブ６２ｎを設けており、このドアノブ６２ｎを把持して、室外側から子扉６を回転できる。なお、ドアノブ６２ｎは、図示されたシリンダタイプに限定されることなく、レバータイプでもよい。
【００７４】
図８又は図１０及び図１１を参照すると、子扉６は、一対のマグネットキャッチ６４・６４を上部に配置している。図４に示すように、子扉６の上半部６ｓｈが上枠５１ｕに当接した状態では、一対のマグネットキャッチ６４・６４は、上枠５１ｕを吸着している。そして、一対のマグネットキャッチ６４・６４は、風圧などに抗して、親扉５に対する子扉６の閉止状態を維持できる。
【００７５】
（錘の構成）
次に、錘の構成を説明する。図８又は図１０及び図１１を参照すると、子扉６は、その下端部に帯板状の錘８を取り付けている。錘８は、水平方向に分割して配置してもよい。子扉６の下端部に錘８を取り付けることで、子扉６を自閉できる。
【００７６】
図１１に示すように、子扉６の下半部６ｉｈが室内から室外に向けて開いた状態では、錘８が無いと、上半部６ｓｈの重量と下半部６ｉｈの重量が均衡しているので、子扉６は、時計方向（矢印Ｒ方向）、又は反時計方向（矢印Ｌ方向）に容易に回転できる。そこで、子扉６の下端部に錘８を設けて、子扉６の下半部６ｉｈが室外から室内に向けて開口部５ｈを閉じるように、子扉６を時計方向に回転するようにした（図１０参照）。
【００７７】
（回転軸の構成）
次に、回転軸の構成を説明する。図１２は、第２実施形態による回転式の防火扉に備わる回転軸の構成を示す図であり、図１２（Ａ）は、回転軸の正面図、図１２（Ｂ）は、図１２（Ａ）のＡ−Ａ矢視断面図、図１２（Ｃ）は、図１２（Ａ）のＢ−Ｂ矢視断面図、図１２（Ｄ）は、図１２（Ａ）のＣ−Ｃ矢視断面図である。
【００７８】
図１３は、第２実施形態による回転式の防火扉に備わる回転軸の構成を示す斜視図であり、子扉側に設けた軸部と親扉側に設けた軸受部を対向配置した状態図である。
【００７９】
図１４は、第２実施形態による回転式の防火扉に備わる回転軸の構成を示す斜視図であり、子扉側に設けた軸部と親扉側に設けた軸受部を対向配置した状態図である。
【００８０】
図１５は、第２実施形態による回転式の防火扉に備わる回転軸の構成を示す図であり、図１５（Ａ）は、親扉に対して子扉を直角に傾倒した状態で示す回転軸の正面図、図１５（Ｂ）は、図１５（Ａ）のＡ−Ａ矢視断面図、図１５（Ｃ）は、図１５（Ａ）のＢ−Ｂ矢視断面図、図１５（Ｄ）は、図１５（Ａ）のＣ−Ｃ矢視断面図である。
【００８１】
図８を参照すると、一対の回転軸７・７は、子扉６の左右に線対称に配置されているので、右側の回転軸７を代表して、以下、回転軸７の構成を説明する。
【００８２】
図１２から図１５を参照すると、回転軸７は、円筒状の軸受部７１と円柱状のボス７２で構成している。軸受部７１は、親扉５に設けた開口部５ｈの側面の内壁から突出している。又、軸受部７１は、ボス７２を受容して回転自在に連結する円形の軸受穴７１ｈを開口している。
【００８３】
図１２から図１５を参照すると、ボス７２は、四角柱状の中間縦枠部材７０の一方の面から突出している。中間縦枠部材７０は、子扉６の側面に配置された縦枠部材６３ｆの中間部に配置している。又、中間縦枠部材７０は、一対の雌ねじ部７０ｓ・７０ｓを設けている。ボルト部材７０ｂを用いて、子扉６の内部から雌ねじ部７０ｓに螺合することで、中間縦枠部材７０を子扉６の側面に固定できる（図１２（Ｄ）参照）。
【００８４】
図１２（Ｂ）又は図１３及び図１５（Ｂ）を参照すると、軸受部７１は、その円環状の肉厚部７１ｗが第１戸当り部５１ｓの縦枠５１ｖに第１接線方向から連続している。第１戸当り部５１ｓの縦枠５１ｖは、中間縦枠部材７０及び縦枠部材６３ｆの一方の面に当接して、子扉６の上半部６ｓｈの側面と開口部５ｈの内壁との間隙を閉塞できる（図８参照）。
【００８５】
又、図１２（Ｂ）又は図１３及び図１５（Ｂ）を参照すると、軸受部７１は、その円環状の肉厚部３１ｗが第２戸当り部５２ｓの縦枠５２ｖに第２接線方向から連続している。第２戸当り部５２ｓの縦枠５２ｖは、中間縦枠部材７０及び縦枠部材６３ｆの他方の面に当接して、子扉６の下半部６ｉｈの側面と開口部５ｈの内壁との間隙を閉塞できる（図８参照）。
【００８６】
このように、軸受部７１は、親扉５の一方の面から他方の面に向けて貫通する隙間ができないように、第１戸当り部５１ｓ及び第２戸当り部５２ｓで遮蔽されている。
【００８７】
図１２（Ｃ）又は図１４及び図１５（Ｃ）を参照すると、中間縦枠部材７０は、ボス７２の外周から窪んだ一対の溝部７０ｄ・７０ｄを形成している。溝部７０ｄに形成された円弧壁は、ボス７２の外周に連続している。そして、一対の溝部７０ｄ・７０ｄは、軸受部７１の外周を案内できる。
【００８８】
図１２（Ｃ）又は図１４及び図１５（Ｃ）を参照すると、溝部７０ｄは、円弧溝７１ｄと異形溝７２ｄで構成している。円弧溝７１ｄは、軸受部７１の先端面が当接する第１底面を有している。又、円弧溝７１ｄは、溝部７０ｄの円弧壁に対向する部分円弧壁を有している。異形溝７２ｄは、円弧溝７１ｄの第１底面から段差を設けて窪んだ第２底面を有している。又、異形溝７２ｄは、溝部７０ｄの円弧壁に対向すると共に、円弧溝７１ｄの部分円弧壁に連続する平坦壁７２ｗを有している（図１２（Ｃ）参照）。
【００８９】
図１５（Ｂ）を参照すると、異形溝７２ｄに形成された平坦壁７２ｗが、縦枠５１ｖ及び縦枠５２ｖに当接することで、親扉５に対する子扉６の回動角度を規定できる（図１１参照）。
【００９０】
又、図１２（Ｃ）又は図１４及び図１５（Ｃ）を参照すると、一対の円弧溝７１ｄ・７１ｄは、子扉６の一方の面から他方の面に貫通する隙間ができないように、軸受部７１で閉塞されている。更に、一対の円弧溝７１ｄ・７１ｄは、子扉６の一方の面から他方の面に貫通する隙間ができないように、中間縦枠部材７０の一方の面から他方の面に向けて迂回している。
【００９１】
（回転式の防火扉の作用）
次に、第２実施形態による防火扉２０の作用及び効果を説明する。図８から図１５を参照して、防火扉２０は、子扉６の側面（厚さ面）から突出するボス７２を設けている。又、防火扉２０は、ボス７２と回転自在に連結する円筒状の軸受部７１を鉛直方向に配置された縦枠５１ｖと縦枠５２ｖの中間部に設けている。そして、防火扉２０は、子扉６の一方の面又は他方の面に当接できる第１戸当り部５１ｓ及び第２戸当り部５２ｓを軸受部７１に連続させているので、子扉６の一方の面から他方の面に向けて貫通する隙間を無くすことできる。
【００９２】
図１３を参照すると、第１戸当り部５１ｓの縦枠５１ｖと第２戸当り部２５ｓの縦枠５２ｖは、軸受部７１の先端面から段差をもって僅かに突出している。そして、縦枠５１ｖと縦枠５２ｖは、それらの延びる方向に断絶している。しかし、図１２に示すように、軸受部７１にボス７２を挿入することで、縦枠５１ｖと縦枠５２ｖの隙間をボス７２で遮蔽できる。これにより、子扉６の一方の面から他方の面に向けて貫通する隙間を無くすことできる。
【００９３】
一方、図１３を参照して、縦枠５１ｖと縦枠５２ｖには、軸受部７１の先端面から段差をもって僅かに突出させているので、親扉５に対して子扉６を９０度回転しようとすると、縦枠５１ｖと縦枠５２ｖの突出部に当接して、回転が困難になる。そこで、一対の異形溝７２ｄ・７２ｄを設けて（図１２（Ｃ）参照）、縦枠５１ｖと縦枠５２ｖの突出部を逃げることにした。このように、第２実施形態による防火扉２０は、ボス７２と軸受部７１の形状を工夫することで、子扉６の一方の面から他方の面に向けて貫通する隙間を無くすと共に、子扉６を回転自在とした。
【００９４】
図８から図１５を参照すると、第２実施形態による防火扉２０は、災害時に、子扉６を開いて開口部５ｈの下部から緊急脱出することもできる。図８から図１１を参照すると、防火扉２０は、子扉６が、親扉５の厚さ方向に突出しないように、一対の回転軸７・７で連結されているので、ドアクローザー５３を取り外して、引き戸式の防火扉にも適用できる。
【００９５】
第２実施形態による防火扉２０は、既設の防火扉と交換することが可能であり、改造工事を安価にすることが期待される。
【００９６】
本発明による回転式の防火扉は、回転中心が鉛直方向に延びる鉛直軸からなる第１実施形態と、回転中心が水平方向に延びる一対の水平軸からなる第２実施形態を開示したが、床面に設けた開口部を開閉自在に一対の水平軸で連結した蓋体からなる回転式の防火扉とすることもできる。
【００９７】
本発明による回転式の防火扉は、回転軸の近傍で、加熱側から非加熱側に向けて貫通する隙間を無くすことが従来では困難であったが、回転軸と軸受部の形状を工夫することで、この問題を解決した。本発明による回転式の防火扉の適用範囲が拡大することが期待される。
【符号の説明】
【００９８】
１  防火扉本体（扉体）
１Ｒｈ  右半部（一方の片翼）
１Ｌｈ  左半部（他方の片翼）
２  枠体
３  回転軸
１０  防火扉（回転式の防火扉）
２１ｓ  第１戸当り部
２２ｓ  第２戸当り部
３０ｄ・３０ｄ  一対の溝部
３１  軸受部
３１ｄ  円弧溝
３１ｈ  軸受穴
３２ｄ  異形溝
【図１】
0005937290.tif 000002
【図２】
0005937290.tif 000003
【図３】
0005937290.tif 000004
【図４】
0005937290.tif 000005
【図５】
0005937290.tif 000006
【図６】
0005937290.tif 000007
【図７】
0005937290.tif 000008
【図８】
0005937290.tif 000009
【図９】
0005937290.tif 000010
【図１０】
0005937290.tif 000011
【図１１】
0005937290.tif 000012
【図１２】
0005937290.tif 000013
【図１３】
0005937290.tif 000014
【図１４】
0005937290.tif 000015
【図１５】
0005937290.tif 000016